(57)【要約】【課題】  既存の螺旋状巻回グリップにより与えられるのと同一の衝撃抵抗性と吸い付き感とを提供する一方で、斯かるグリップの上記不都合を克服する。【解決手段】  本発明によるゴルフクラブの握り部用のグリップは、フェルト内側層に結合されたポリウレタン外側層を含む第1パネルＳ１と、フェルト内側層に結合されたポリウレタン外側層を含む第2パネルＳ２とを具備し、第1パネルは角取底縁部を画成し、第2パネルは角取頂縁部を画成し、第1パネルの底縁部は第2パネルの頂縁部に当接して頂縁部に接着され、第1パネルおよび第2パネルは下地スリーブの回りに巻回されてスリーブに接着されることから第1パネルの底縁部および第2パネルの頂縁部は協働して実質的に水平な継目１００を形成する。【選択図】      図７
2005177464.tif 000002
【特許請求の範囲】
【請求項１】
ゴルフクラブの握り部上に嵌装的に摺動可能となる様に寸法設定された開口を一端に有する弾性的な下地スリーブであって、キャップおよびニプルを有し、前記キャップは下向き周囲スロットを画成し、前記ニプルは上向き周囲スロットを画成する弾性的な下地スリーブと、
フェルト内側層に結合されたポリウレタン外側層を含む第1パネルであって、頂縁部と、底縁部と、前記頂縁部および前記底縁部の間に延在する２つの側縁部とを有し、前記内側層は前記第1パネルの内側面を画成する第1パネルと、
フェルト内側層に結合されたポリウレタン外側層を含む第2パネルであって、頂縁部と、底縁部と、前記頂縁部および前記底縁部の間に延在する２つの側縁部とを有し、前記外側層は第2パネルの外側面を画成する第2パネルと、を具備し、
前記第1パネルは、前記第1パネルの前記内側面に対して鈍角を形成すべく前記内側層から前記外側層へと延在する角取り部を有する角取底縁部を画成し、
前記第2パネルは、前記第2パネルの前記外側面に対して鈍角を形成すべく前記外側層から前記内側層へと延在する角取り部を有する角取頂縁部を画成し、
前記第1パネルの前記底縁部は前記第2パネルの前記頂縁部に当接して前記頂縁部に接着され、
前記第1パネルおよび前記第2パネルは前記下地スリーブの回りに巻回されて前記スリーブに接着されることから前記第1パネルの前記底縁部および前記第2パネルの前記頂縁部は協働して実質的に水平な継目を形成するゴルフクラブの握り部用のグリップ。
【請求項２】
前記外側層は加圧成形された摩擦強化パターンを更に具備する請求項１記載のグリップ。
【請求項３】
前記外側層は加圧成形されたロゴを更に具備する請求項１記載のグリップ。
【請求項４】
前記外側層はインク書きされたロゴを更に具備する請求項１記載のグリップ。
【請求項５】
前記グリップはパター・グリップであり、前記スリーブは平坦な前面を画成する請求項１記載のグリップ。
【請求項６】
ゴルフクラブの握り部上に嵌装的に摺動可能となる様に寸法設定された開口を一端に有する弾性的な下地スリーブであって、キャップおよびニプルを有し、前記キャップは下向き周囲スロットを画成し、前記ニプルは上向き周囲スロットを画成する弾性的な下地スリーブと、
フェルト内側層に結合されたポリウレタン外側層を含む第1パネルであって、頂縁部と、底縁部と、前記頂縁部および前記底縁部の間に延在する２つの側縁部とを有し、前記内側層は前記第1パネルの内側面を画成する第1パネルと、
フェルト内側層に結合されたポリウレタン外側層を含む第2パネルであって、頂縁部と、底縁部と、前記頂縁部および前記底縁部の間に延在する２つの側縁部とを有し、前記外側層は前記第2パネルの外側面を画成する第2パネルと、
フェルト内側層に結合されたポリウレタン外側層を含む第3パネルであって、頂縁部と、底縁部と、前記頂縁部および前記底縁部の間に延在する２つの側縁部とを有し、前記外側層は前記第3パネルの外側面を画成し、前記内側層は前記第3パネルの内側面を画成する第3パネルとを具備し、
前記第1パネルは、前記第1パネルの前記内側面に対して鈍角を形成すべく前記内側層から前記外側層へと延在する角取り部を有する角取底縁部を画成し、
前記第2パネルは、前記第2パネルの前記外側面に対して鈍角を形成すべく前記外側層から前記内側層へと延在する角取り部を有する角取頂縁部を画成し、
前記第3パネルは、前記第3パネルの前記外側面に対して鈍角を形成すべく前記外側層から前記内側層へと延在する角取り部を有する角取頂縁部を画成し、
前記第3パネルは更に、前記第3パネルの前記内側面に対して鈍角を形成すべく前記内側層から前記外側層へと延在する角取り部を有する角取底縁部を画成し、
前記第1パネルの前記底縁部は前記第3パネルの前記頂縁部に当接して前記頂縁部に接着され、
前記第3パネルの前記底縁部は前記第2パネルの前記頂縁部に当接して前記頂縁部に接着され、
前記第1パネルおよび前記第3パネルは前記下地スリーブの回りに巻回されて前記スリーブに接着されることから前記第1パネルの前記底縁部および前記第3パネルの前記頂縁部は協働して実質的に水平な継目を形成し、
前記第3パネルおよび前記第2パネルは前記下地スリーブの回りに巻回されて前記スリーブに接着されることから前記第3パネルの前記底縁部および前記第2パネルの前記頂縁部は協働して実質的に水平な継目を形成するゴルフクラブの握り部用のグリップ。
【請求項７】
前記外側層は加圧成形された摩擦強化パターンを更に具備する請求項６記載のグリップ。
【請求項８】
前記外側層は加圧成形されたロゴを更に具備する請求項６記載のグリップ。
【請求項９】
前記外側層はインク書きされたロゴを更に具備する請求項６記載のグリップ。
【請求項１０】
前記グリップはパター・グリップであり、前記スリーブは平坦な前面を画成する請求項６記載のグリップ。
【請求項１１】
ゴルフクラブの握り部上に嵌装的に摺動可能となる様に寸法設定された開口を一端に有する弾性的な下地スリーブと、
布地内側層に結合されたポリマ外側層を含む第1パネルであって、頂縁部と、底縁部と、前記頂縁部および前記底縁部の間に延在する２つの側縁部とを有する第1パネルと、
布地内側層に結合されたポリマ外側層を含む第2パネルであって、頂縁部と、底縁部と、前記頂縁部および前記底縁部の間に延在する２つの側縁部とを有する第2パネルとを具備し、
前記第1パネルは角取底縁部を画成し、
前記第2パネルは角取頂縁部を画成し、
前記第1パネルの前記底縁部は前記第2パネルの前記頂縁部に当接し、
前記第1パネルおよび前記第2パネルは前記下地スリーブの回りに巻回されて前記スリーブに接着されることから前記第1パネルの前記底縁部および前記第2パネルの前記頂縁部は協働して実質的に水平な継目を形成するゴルフクラブの握り部用のグリップ。
【請求項１２】
前記第1パネルの前記底縁部は前記第2パネルの前記頂縁部に固定される請求項１１記載のグリップ。
【請求項１３】
前記第1パネルは内側面を画成し、前記第1パネルの前記角取底縁部は、前記第1パネルの前記内側面に対して鈍角を形成すべく前記内側層から前記外側層へと延在する角取り部を有する請求項１２記載のグリップ。
【請求項１４】
前記第2パネルは外側面を画成し、前記第2パネルの前記角取頂縁部は、前記第2パネルの前記外側面に対して鈍角を形成すべく前記外側層から前記内側層へと延在する角取り部を有する請求項１３記載のグリップ。
【請求項１５】
前記第1パネルの前記頂縁部を受容する下向き周囲スロットを有するキャップと、前記第2パネルの前記底縁部を受容する上向き周囲スロットを有する下側ニプルとを更に具備する請求項１１記載のグリップ。
【請求項１６】
前記第1パネルの前記頂縁部は概略的に水平であり、前記第2パネルの前記底縁部は概略的に水平であり、前記グリップは、前記第1パネルの前記頂縁部を受容する下向きスロットを有するキャップと、前記第2パネルの前記底縁部を受容する上向きスロットを有する下側ニプルとを更に具備する請求項１１記載のグリップ。
【請求項１７】
前記外側層は加圧成形された摩擦強化パターンを更に具備する請求項１１記載のグリップ。
【請求項１８】
前記外側層は加圧成形されたロゴを更に具備する請求項１１記載のグリップ。
【請求項１９】
前記外側層はインク書きされたロゴを更に具備する請求項１１記載のグリップ。
【請求項２０】
前記グリップはパター・グリップであり、前記スリーブは平坦な前面を画成する請求項１１記載のグリップ。
【請求項２１】
ゴルフクラブの握り部上に嵌装的に摺動可能となる様に寸法設定され且つ一端にて開口を有すると共に長手軸線を画成する下地スリーブと、
布地内側層に結合されたポリマ外側層を含む第1パネルであって、頂縁部と、底縁部と、前記頂縁部および前記底縁部の間に延在する２つの側縁部とを有する第1パネルと、
布地内側層に結合されたポリマ外側層を含む第2パネルであって、頂縁部と、底縁部と、前記頂縁部および前記底縁部の間に延在する２つの側縁部とを有する第2パネルとを備え、
前記第1パネルの前記底縁部の前記内側層および前記外側層は角取りされており、
前記第2パネルの前記頂縁部の前記内側層および前記外側層は角取りされており、
前記第1パネルの前記内側層は前記第2パネルの前記内側層に当接し、前記第1パネルの前記底縁部は前記第2パネルの前記頂縁部に固定され、
前記第1パネルおよび前記第2パネルは前記下地スリーブの回りに巻回されて前記スリーブに接着され、
前記第1パネルの前記底縁部および前記第2パネルの前記頂縁部は協働して前記長手軸線を横切る方向の継目を形成するゴルフクラブの握り部用のグリップ。
【請求項２２】
前記第1パネルの前記底縁部は、前記第1パネルの前記内側面に対して鈍角を形成すべく前記内側層から前記外側層へと角取りされた角取底縁部を画成する請求項２１記載のグリップ。
【請求項２３】
前記第2パネルの前記頂縁部は、前記第2パネルの前記外側面に対して鈍角を形成すべく前記外側層から前記内側層へと角取りされた角取頂縁部を画成する請求項２２記載のグリップ。
【請求項２４】
前記第1パネルの前記頂縁部を受容する下向き周囲スロットを有するキャップと、前記第2パネルの前記底縁部を受容する上向き周囲スロットを有する下側ニプルとを更に具備する請求項２１記載のグリップ。
【請求項２５】
前記第1パネルの前記頂縁部は概略的に水平であり、前記第2パネルの前記底縁部は概略的に水平であり、前記グリップは、前記第1パネルの前記頂縁部を受容する下向きスロットを有するキャップと、前記第2パネルの前記底縁部を受容する上向きスロットを有する下側ニプルとを更に具備する請求項２１記載のグリップ。
【請求項２６】
前記外側層は加圧成形された摩擦強化パターンを更に具備する請求項２１記載のグリップ。
【請求項２７】
前記外側層は加圧成形されたロゴを更に具備する請求項２１記載のグリップ。
【請求項２８】
前記外側層はインク書きされたロゴを更に具備する請求項２１記載のグリップ。
【請求項２９】
当該グリップはパター・グリップであり、前記スリーブは平坦な前面を画成する請求項２１記載のグリップ。
【請求項３０】
ゴルフクラブの握り部上に嵌装的に摺動可能となる様に寸法設定され且つ一端にて開口を有する下地スリーブと、
布地内側層に結合されたポリマ外側層を含む第1パネルであって、頂縁部と、底縁部と、前記頂縁部および前記底縁部の間に延在する２つの側縁部とを有する第1パネルと、
布地内側層に結合されたポリマ外側層を含む第2パネルであって、頂縁部と、底縁部と、前記頂縁部および前記底縁部の間に延在する２つの側縁部とを有する第2パネルとを備え、
前記第1パネルの前記底縁部の前記内側層および前記外側層は、前記第1パネルの前記内側面に対して鈍角を形成すべく前記内側層から前記外側層へと角取りされ、
前記第2パネルの前記頂縁部の前記内側層および前記外側層は、前記第2パネルの前記外側面に対して鈍角を形成すべく前記外側層から前記内側層へと角取りされ、
前記第1パネルの前記底縁部は前記第2パネルの前記頂縁部に当接され、
前記第1パネルおよび前記第2パネルは前記下地スリーブの回りに巻回されて前記スリーブに接着され、
前記第1パネルの前記底縁部および前記第2パネルの前記頂縁部は協働して実質的に水平な継目を形成するゴルフクラブの握り部用のグリップ。
【請求項３１】
前記第1パネルの前記底縁部は前記第2パネルの前記頂縁部に固定される請求項３０記載のグリップ。
【請求項３２】
前記第1パネルの前記頂縁部を受容する下向きスロットを有するキャップと、前記第2パネルの前記底縁部を受容する上向きスロットを有する下側ニプルとを更に具備する請求項３１記載のグリップ。
【請求項３３】
前記第1パネルの前記頂縁部は概略的に水平であり、前記第2パネルの前記底縁部は概略的に水平であり、前記グリップは、前記第1パネルの前記頂縁部を受容する下向きスロットを有するキャップと、前記第2パネルの前記底縁部を受容する上向きスロットを有する下側ニプルとを更に具備する請求項３１記載のグリップ。
【請求項３４】
前記外側層は加圧成形された摩擦強化パターンを更に具備する請求項３１記載のグリップ。
【請求項３５】
前記外側層は加圧成形されたロゴを更に具備する請求項３１記載のグリップ。
【請求項３６】
前記外側層はインク書きされたロゴを更に具備する請求項３１記載のグリップ。
【請求項３７】
当該グリップはパター・グリップであり、前記スリーブは平坦な前面を画成する請求項３１記載のグリップ。
【請求項３８】
ゴルフクラブの握り部上に嵌装的に摺動可能な下地スリーブを配備する段階と、
布地内側層に結合されたポリマ外側層を含む第1パネルであって、頂縁部と、底縁部と、前記頂縁部および前記底縁部の間に延在する２つの側縁部とを有する第1パネルを配備する段階と、
布地内側層に結合されたポリマ外側層を含む第2パネルであって、頂縁部と、底縁部と、前記頂縁部および前記底縁部の間に延在する２つの側縁部とを有する第2パネルを配備する段階と、
前記第1パネルの前記底縁部を角取りする段階と、
前記第2パネルの前記頂縁部を角取りする段階と、
前記第1パネルの前記底縁部を前記第2パネルの前記頂縁部に固定する段階と、
前記第1パネルを前記下地スリーブの回りに巻回して前記第1パネルを前記下地スリーブに接着する段階と、
前記第2パネルを前記下地スリーブの回りに巻回して前記第2パネルを前記下地スリーブに接着する段階とを備え、
前記固定段階および前記巻回段階の完了時に、前記第1パネルの前記底縁部および前記第2パネルの前記頂縁部は協働して実質的に水平な継目を形成するゴルフクラブの握り部用のグリップを作成する方法。
【請求項３９】
前記巻回段階の以前において、前記第1パネルの前記底縁部は前記第2パネルの前記頂縁部に固定される請求項３８記載の方法。
【請求項４０】
前記第1パネルの前記内側面に対して鈍角を形成すべく前記第1パネルの前記底縁部は前記内側層から前記外側層へと角取りされる請求項３９記載の方法。
【請求項４１】
前記第2パネルの前記外側面に対して鈍角を形成すべく前記第2パネルの前記頂縁部は前記外側層から前記内側層へと角取りされる請求項４０記載の方法。
【請求項４２】
前記第1パネルの前記頂縁部をキャップの下向き周囲スロット内に且つ前記第2パネルの前記底縁部を下側ニプルの上向き周囲スロット内に固定する段階を更に有する請求項３８記載の方法。
【請求項４３】
前記第1パネルの前記頂縁部は概略的に水平であり且つ前記第2パネルの前記底縁部は概略的に水平であり、前記方法は、前記第1パネルの前記頂縁部をキャップの下向きスロット内に且つ前記第2パネルの前記底縁部を下側ニプルの上向きスロット内に固定する段階を更に有する請求項３８記載の方法。
【請求項４４】
前記外側層に摩擦強化パターンを加圧成形する段階を更に有する請求項３８記載の方法。
【請求項４５】
前記外側層にロゴを加圧成形する段階を更に有する請求項３８記載の方法。
【請求項４６】
前記外側層上にロゴをインク書きする段階を更に有する請求項３８記載の方法。
【請求項４７】
前記グリップはパター・グリップであり、前記スリーブは平坦な前面を画成する請求項３８記載の方法。
【請求項４８】
ゴルフクラブの握り部上に嵌装的に摺動可能な下地スリーブを配備する段階と、
布地内側層に結合されたポリマ外側層を含む第1パネルであって、頂縁部と、底縁部と、前記頂縁部および前記底縁部の間に延在する２つの側縁部とを有する第1パネルを配備する段階と、
布地内側層に結合されたポリマ外側層を含む第2パネルであって、頂縁部と、底縁部と、前記頂縁部および前記底縁部の間に延在する２つの側縁部とを有する第2パネルを配備する段階と、
前記第1パネルの前記底縁部の前記内側層および前記外側層を角取りする段階と、
前記第2パネルの前記頂縁部の前記内側層および前記外側層を角取りする段階と、
前記第1パネルの前記内側層を前記第2パネルの前記内側層に当接させ、前記第1パネルの前記底縁部を前記2パネルの前記頂縁部に固定する段階と、
前記第1パネルを前記下地スリーブの回りに巻回して前記第1パネルを前記下地スリーブに接着する段階と、
前記第2パネルを前記下地スリーブの回りに巻回して前記第2パネルを前記下地スリーブに接着する段階とを備え、
前記固定段階および前記巻回段階の完了時に、前記第1パネルの前記底縁部および前記第2パネルの前記頂縁部は協働して実質的に水平な継目を形成するゴルフクラブの握り部用のグリップを作成する方法。
【請求項４９】
前記各巻回段階の以前において、前記第1パネルの前記底縁部は前記第2パネルの前記頂縁部に固定される請求項４８記載の方法。
【請求項５０】
前記第1パネルの前記内側面に対して鈍角を形成すべく前記第1パネルの前記底縁部は前記内側層から前記外側層へと角取りされる請求項４９記載の方法。
【請求項５１】
前記第2パネルの前記外側面に対して鈍角を形成すべく前記第2パネルの前記頂縁部は前記外側層から前記内側層へと角取りされる請求項５０記載の方法。
【請求項５２】
前記第1パネルの前記頂縁部をキャップの下向き周囲スロット内に且つ前記第2パネルの前記底縁部を下側ニプルの上向き周囲スロット内に固定する段階を更に有する請求項４８記載の方法。
【請求項５３】
前記第1パネルの前記頂縁部は概略的に水平であり且つ前記第2パネルの前記底縁部は概略的に水平であり、前記方法は、前記第1パネルの前記頂縁部をキャップの下向きスロット内に且つ前記第2パネルの前記底縁部を下側ニプルの上向きスロット内に固定する段階を更に有する請求項４８記載の方法。
【請求項５４】
前記外側層に摩擦強化パターンを加圧成形する段階を更に有する請求項４８記載の方法。
【請求項５５】
前記外側層にロゴを加圧成形する段階を更に有する請求項４８記載の方法。
【請求項５６】
前記外側層上にロゴをインク書きする段階を更に有する請求項４８記載の方法。
【請求項５７】
前記グリップはパター・グリップであり、前記スリーブは平坦な前面を画成する請求項４８記載の方法。
【請求項５８】
ゴルフクラブの握り部上に嵌装的に摺動可能な下地スリーブを配備する段階と、
布地内側層に結合されたポリマ外側層を含む第1パネルであって、頂縁部と、底縁部と、前記頂縁部および前記底縁部の間に延在する２つの側縁部とを有する第1パネルを配備する段階と、
布地内側層に結合されたポリマ外側層を含む第2パネルであって、頂縁部と、底縁部と、前記頂縁部および前記底縁部の間に延在する２つの側縁部とを有する第2パネルを配備する段階と、
前記第1パネルの前記内側面に対して鈍角を形成すべく前記第1パネルの前記底縁部の前記内側層および前記外側層を前記内側層から前記外側層へと角取りする段階と、
前記第2パネルの前記外側面に対して鈍角を形成すべく前記第2パネルの前記頂縁部の前記内側層および前記外側層を前記外側層から前記内側層へと角取りする段階と、
前記第1パネルの前記底縁部を前記第2パネルの前記頂縁部に当接する段階と、
前記第1パネルを前記下地スリーブの回りに巻回して前記第1パネルを前記下地スリーブに接着する段階と、
前記第2パネルを前記下地スリーブの回りに巻回して前記第2パネルを前記下地スリーブに接着する段階とを備え、
前記固定段階および前記巻回段階の完了時に、前記第1パネルの前記底縁部および前記第2パネルの前記頂縁部は協働して実質的に水平な継目を形成するゴルフクラブの握り部用のグリップを作成する方法。
【請求項５９】
前記各巻回段階の以前において、前記第1パネルの前記底縁部は前記第2パネルの前記頂縁部に固定される請求項５８記載の方法。
【請求項６０】
前記第1パネルの前記頂縁部をキャップの下向き周囲スロット内に且つ前記第2パネルの前記底縁部を下側ニプルの上向き周囲スロット内に固定する段階を更に有する請求項５９記載の方法。
【請求項６１】
前記第1パネルの前記頂縁部は概略的に水平であり且つ前記第2パネルの前記底縁部は概略的に水平であり、前記方法は、前記第1パネルの前記頂縁部をキャップの下向きスロット内に且つ前記第2パネルの前記底縁部を下側ニプルの上向きスロット内に固定する段階を更に有する請求項５９記載の方法。
【請求項６２】
前記外側層に摩擦強化パターンを加圧成形する段階を更に有する請求項５８記載の方法。
【請求項６３】
前記外側層にロゴを加圧成形する段階を更に有する請求項５８記載の方法。
【請求項６４】
前記外側層上にロゴをインク書きする段階を更に有する請求項５８記載の方法。
【請求項６５】
前記グリップはパター・グリップであり、前記スリーブは平坦な前面を画成する請求項５８記載の方法。
【請求項６６】
ゴルフクラブの握り部上に嵌装的に摺動可能となる様に寸法設定され且つ頂端部および底端部を有する弾性的な下地スリーブと、
布地内側層に結合されたポリマ外側層を含む第1パネルであって、頂縁部と、底縁部と、前記頂縁部および前記底縁部の間に延在する２つの側縁部とを有する第1パネルと、
布地内側層に結合されたポリマ外側層を含む第2パネルであって、頂縁部と、底縁部と、前記頂縁部および前記底縁部の間に延在する２つの側縁部とを有する第2パネルと、
布地内側層に結合されたポリマ外側層を含む第3パネルであって、頂縁部と、底縁部と、前記頂縁部および前記底縁部の間に延在する２つの側縁部とを有する第3パネルとを備え、
前記第1パネルは角取底縁部を画成し、
前記第2パネルは角取頂縁部を画成し、
前記第3パネルは角取頂縁部および角取底縁部を画成し、
前記第1パネルの前記底縁部は前記第3パネルの前記頂縁部に当接し、
前記第1パネルの前記頂縁部は前記スリーブの前記頂端部の近傍に位置され且つ前記第2パネルの前記底縁部は前記スリーブの前記底端部の近傍に位置され、
前記第1パネルおよび前記第3パネルは前記下地スリーブの回りに巻回されて前記スリーブに接着されることから前記第1パネルの前記底縁部および前記第3パネルの前記頂縁部は協働して実質的に水平な継目を形成し、
前記第3パネルおよび前記第2パネルは前記下地スリーブの回りに巻回されて前記スリーブに接着されることから前記第3パネルの前記底縁部および前記第2パネルの前記頂縁部は協働して実質的に水平な継目を形成するゴルフクラブの握り部用のグリップ。
【請求項６７】
前記第1パネルの前記底縁部は前記第3パネルの前記頂縁部に固定される請求項６６記載のグリップ。
【請求項６８】
前記第3パネルの前記底縁部は前記第2パネルの前記頂縁部に固定される請求項６７記載のグリップ。
【請求項６９】
前記第1パネルの前記内側面に対して鈍角を形成すべく前記第1パネルの前記底縁部は前記内側層から前記外側層へと外方に角取りされる請求項６８記載のグリップ。
【請求項７０】
前記第1パネルの前記頂縁部を受容する下向き周囲スロットを有するキャップと、前記第2パネルの前記底縁部を受容する上向き周囲スロットを有する下側ニプルとを更に具備する請求項６８記載のグリップ。
【請求項７１】
前記第1パネルの前記頂縁部は概略的に水平であり且つ前記第2パネルの前記底縁部は概略的に水平であり、前記グリップは、前記第1パネルの前記頂縁部を受容する下向きスロットを有するキャップと、前記第2パネルの前記底縁部を受容する上向きスロットを有する下側ニプルとを更に具備する請求項６８記載のグリップ。
【請求項７２】
前記外側層は加圧成形された摩擦強化パターンを更に具備する請求項６６記載のグリップ。
【請求項７３】
前記外側層は加圧成形されたロゴを更に具備する請求項６６記載のグリップ。
【請求項７４】
前記外側層はインク書きされたロゴを更に具備する請求項６６記載のグリップ。
【請求項７５】
当該グリップはパター・グリップであり、前記スリーブは平坦な前面を画成する請求項６６記載のグリップ。
【請求項７６】
ゴルフクラブの握り部上に嵌装的に摺動可能な下地スリーブを配備する段階と、
布地内側層に結合されたポリマ外側層を含む第1パネルであって、頂縁部と、底縁部と、前記頂縁部および前記底縁部の間に延在する２つの側縁部とを有する第1パネルを配備する段階と、
布地内側層に結合されたポリマ外側層を含む第2パネルであって、頂縁部と、底縁部と、前記頂縁部および前記底縁部の間に延在する２つの側縁部とを有する第2パネルを配備する段階と、
布地内側層に結合されたポリマ外側層を含む第3パネルであって、頂縁部と、底縁部と、前記頂縁部および前記底縁部の間に延在する２つの側縁部とを有する第3パネルを配備する段階と、
前記第1パネルの前記底縁部を角取りする段階と、
前記第2パネルの前記頂縁部を角取りする段階と、
前記第3パネルの前記頂縁部および前記底縁部を角取りする段階と、
前記第1パネルの前記底縁部を前記第3パネルの前記頂縁部に固定する段階と、
前記第3パネルの前記底縁部を前記第2パネルの前記頂縁部に固定する段階と、
前記第1パネルを前記下地スリーブの回りに巻回して前記第1パネルを前記下地スリーブに接着する段階と、
前記第2パネルを前記下地スリーブの回りに巻回して前記第2パネルを前記下地スリーブに接着する段階と、
前記第3パネルを前記下地スリーブの回りに巻回して前記第3パネルを前記下地スリーブに接着する段階とを備え、
前記固定段階および前記巻回段階の完了時に、前記第1パネルの前記底縁部および前記第3パネルの前記頂縁部は協働して実質的に水平な継目を形成し、且つ、前記第3パネルの前記底縁部および前記第2パネルの前記頂縁部は協働して実質的に水平な継目を形成するゴルフクラブの握り部用のグリップを作成する方法。
【請求項７７】
前記巻回段階の以前において、前記第1パネルの前記底縁部は前記第3パネルの前記頂縁部に固定される請求項７６記載の方法。
【請求項７８】
前記第1パネルの前記内側面に対して鈍角を形成すべく前記第1パネルの前記底縁部は前記内側層から前記外側層へと角取りされる請求項７７記載の方法。
【請求項７９】
前記第1パネルの前記頂縁部をキャップの下向き周囲スロット内に且つ前記第2パネルの前記底縁部を下側ニプルの上向き周囲スロット内に固定する段階を更に有する請求項７６記載の方法。
【請求項８０】
前記第1パネルの前記頂縁部は概略的に水平であり且つ前記第2パネルの前記底縁部は概略的に水平であり、前記方法は、前記第1パネルの前記頂縁部をキャップの下向きスロット内に且つ前記第2パネルの前記底縁部を下側ニプルの上向きスロット内に固定する段階を更に有する請求項７６記載の方法。
【請求項８１】
前記外側層に摩擦強化パターンを加圧成形する段階を更に有する請求項７６記載の方法。
【請求項８２】
前記外側層にロゴを加圧成形する段階を更に有する請求項７６記載の方法。
【請求項８３】
前記外側層上にロゴをインク書きする段階を更に有する請求項７６記載の方法。
【請求項８４】
前記グリップはパター・グリップであり、前記スリーブは平坦な前面を画成する請求項７６記載の方法。
【発明の詳細な説明】
【技術分野】
【０００１】
本出願は、ゴルフクラブ用の改良型グリップに関する。
【背景技術】
【０００２】
本出願人は既に、ゴルフクラブのユーザの筋肉および腕関節に対するインパクト衝撃を好適に減少すると共にプレーヤの手と該グリップとの間に吸い付く(tackiness)様な感触も提供するという弾性グリップを開発した。たとえば、本出願人に対して1998年8月25日に付与された米国特許第5,797,813号、および、2003年3月18日に本出願人により出願された米国特許出願第10/392480号を参照されたい。
【０００３】
これらのグリップの最も初期のものは、ゴルフクラブの握り部に対して摺動嵌装されて該握り部に接着される下地スリーブ(underlisting sleeve)の回りに螺旋状に巻回されたポリウレタン・フェルト製の細長片を利用する。上記細長片の各側部には、加熱押圧されて凹状形成されると共に重なり合う補強縁部が形成される。斯かるグリップはインパクト衝撃を減少する上では満足できることが判明したが、その作製は多大な労力を必要とし、と言うのも特に、上記細長片は特定の圧力パラメータ範囲内で上記下地スリーブの回りに手作業で巻回されなければならないからである。さらに、上記細長片の隣り合う側縁部同士を正確に整列させることは困難である、と言うのも、斯かる細長片は上記下地スリーブの回りに螺旋状に巻回されつつあるからである。この様に巻回されたグリップは巻回プロセスの間に捻られ得ると共に、許容されるのは限られた装飾デザインおよび限られた色彩の載置のみである。
【０００４】
本出願人の第10/392480号出願は、既存の螺旋状巻回グリップにより与えられるのと同一の衝撃抵抗性と吸い付き感とを提供する一方で、斯かるグリップの上記不都合を克服せんとするものである。上記不都合は、下地スリーブの外側形状に対応する形態を有する単一のポリウレタン・フェルト製パネルから、構造的に一体的なグリップを形成することで排除される。この設計態様は上記巻回プロセスに伴う上記捻れ(twisting)に関する問題を排除すると共に装飾デザインを表示するための更なる領域を提供するが、該設計態様の機能において、今日における近代的なゴルフ分野において普及している多色方式への対処は限られる。
【発明の開示】
【発明が解決しようとする課題】
【０００５】
本発明のゴルフクラブ・グリップの実施例は、既存の螺旋状巻回グリップにより与えられるのと同一の衝撃抵抗性と吸い付き感とを提供する一方で、斯かるグリップの上記不都合を克服する。望ましくは、最初は別個である複数枚の二層パネルから、構造的に一体的なグリップが形成される。
【課題を解決するための手段】
【０００６】
好適な一実施例は、好適には弾性的な下地スリーブ、第1パネルおよび第2パネルを有するグリップである。上記第1パネルおよび上記第2パネルは上記下地スリーブの回りに巻回され且つ該スリーブに接着される。上記下地スリーブは一端にて、該スリーブがゴルフクラブの握り部上に嵌装的に摺動可能となる様に寸法設定された開口を有する。上記下地スリーブは、下向き周囲スロットを備えたキャップ、および、上向き周囲スロットを備えたニプルも含む。上記第1パネルは、フェルト内側層に結合されたポリウレタン外側層と、頂縁部と、底縁部と、該頂縁部および底縁部の間に延在する２つの側縁部とを含み、上記内側層は該第1パネルの内側面を画成する。上記第2パネルは、フェルト内側層に結合されたポリウレタン外側層と、頂縁部と、底縁部と、該頂縁部および底縁部の間に延在する２つの側縁部とを含み、上記外側層は該第2パネルの外側面を画成する。この実施例の上記第1パネルは、該第1パネルの上記内側面に対して鈍角(図３６Ａにおけるα)を形成すべく上記内側層から上記外側層へと延在する角取り部を有する角取背面底縁部を画成し、且つ、上記第2パネルは、該第2パネルの上記外側面に対して鈍角(図３６Ａにおけるβ)を形成すべく上記外側層から上記内側層へと延在する角取り部を有する角取前面頂縁部を画成する。上記第1パネルの上記底縁部は上記第2パネルの上記頂縁部と当接することから、上記第1パネルの上記底縁部および上記第2パネルの上記頂縁部は協働して実質的に水平な継目を形成する。
【０００７】
一実施例は、弾性的な下地スリーブ、第1パネルおよび第2パネルを含むグリップである。上記第1パネルおよび上記第2パネルは、上記下地スリーブの回りに巻回され且つ該スリーブに接着される。上記下地スリーブは一端にて、該スリーブがゴルフクラブの握り部上に嵌装的に摺動可能となる様に寸法設定された開口を有する。上記第1パネルは、布地内側層に結合されたポリマ外側層と、頂縁部と、底縁部と、該頂縁部および底縁部の間に延在する２つの側縁部とを含む。上記第2パネルは、布地内側層に結合されたポリマ外側層と、頂縁部と、底縁部と、該頂縁部および底縁部の間に延在する２つの側縁部とを含む。この実施例の上記第1パネルは角取底縁部を画成し、且つ、上記第2パネルは角取頂縁部を画成する。上記第1パネルの上記底縁部は上記第2パネルの上記頂縁部に当接することから、上記第1パネルの上記底縁部および上記第2パネルの上記頂縁部は協働して実質的に水平な継目を形成する。
【０００８】
別の実施例は、下地スリーブ、第1パネルおよび第2パネルを含むグリップである。上記第1パネルおよび上記第2パネルは上記下地スリーブの回りに巻回され且つ該スリーブに接着される。上記下地スリーブは一端にて、該スリーブがゴルフクラブの握り部上に嵌装的に摺動可能となる様に寸法設定された開口を有する。上記第1パネルは、布地内側層に結合されたポリマ外側層と、頂縁部と、底縁部と、該頂縁部および底縁部の間に延在する２つの側縁部とを含む。上記第2パネルは、布地内側層に結合されたポリマ外側層と、頂縁部と、底縁部と、該頂縁部および底縁部の間に延在する２つの側縁部とを含む。上記第1パネルの上記底縁部の上記内側層および上記外側層は角取りされる。上記第2パネルの上記頂縁部の上記内側層および上記外側層は角取りされる。上記第1パネルの上記内側層は上記第2パネルの上記内側層に当接し、且つ、上記第1パネルの上記底縁部は上記底部パネルの上記頂縁部に固定される。上記第1パネルの上記底縁部および上記第2パネルの上記頂縁部は協働し、上記スリーブの長手軸心を横切る方向の継目を形成する。
【０００９】
更に別の実施例は、下地スリーブ、第1パネルおよび第2パネルを含むグリップである。上記第1パネルおよび上記第2パネルは、上記下地スリーブの回りに巻回され且つ該スリーブに接着される。上記下地スリーブは一端にて、該スリーブがゴルフクラブの握り部上に嵌装的に摺動可能となる様に寸法設定された開口を有する。上記第1パネルは、布地内側層に結合されたポリマ外側層と、頂縁部と、底縁部と、該頂縁部および底縁部の間に延在する２つの側縁部とを含む。上記第2パネルは、布地内側層に結合されたポリマ外側層と、頂縁部と、底縁部と、該頂縁部および底縁部の間に延在する２つの側縁部とを含む。上記第1パネルの上記内側面に対して鈍角を形成すべく、該第1パネルの上記底縁部の上記内側層および上記外側層は上記内側層から上記外側層へと角取りされる。上記第2パネルの上記外側面に対して鈍角を形成すべく、該第2パネルの上記頂縁部の上記内側層および上記外側層は上記外側層から上記内側層へと角取りされる。上記第1パネルの上記底縁部は、上記第2パネルの上記頂縁部に当接される。上記第1パネルの上記底縁部および上記第2パネルの上記頂縁部は協働して、実質的に水平な継目を形成する。
【００１０】
更に別の実施例は、ゴルフクラブの握り部上に嵌装的に摺動可能な下地スリーブを配備する段階と、布地内側層に結合されたポリマ外側層を含む第1パネルであって、頂縁部と、底縁部と、該頂縁部および底縁部の間に延在する２つの側縁部とを有する第1パネルを配備する段階と、布地内側層に結合されたポリマ外側層を含む第2パネルであって、頂縁部と、底縁部と、該頂縁部および底縁部の間に延在する２つの側縁部とを有する第2パネルを配備する段階と、上記第1パネルの上記内側面に対して鈍角を形成すべく該第1パネルの上記底縁部の上記内側層および上記外側層を上記内側層から上記外側層へと角取り(skiving)する段階と、上記第2パネルの上記外側面に対して鈍角を形成すべく該第2パネルの上記頂縁部の上記内側層および上記外側層を上記外側層から上記内側層へと角取りする段階と、上記第1パネルの上記底縁部を上記第2パネルの上記頂縁部に当接する段階と、上記第1パネルを上記下地スリーブの回りに巻回して該第1パネルを上記下地スリーブに接着する段階と、上記第2パネルを上記下地スリーブの回りに巻回して該第2パネルを上記下地スリーブに接着する段階と、を備え、上記固定段階および上記巻回段階の完了時に、上記第1パネルの上記底縁部および上記第2パネルの上記頂縁部は協働して実質的に水平な継目を形成する、ゴルフクラブの握り部用のグリップを作成する方法である。
【００１１】
別の実施例は、下地スリーブ、第1パネル、第2パネルおよび第3パネルを含むグリップである。上記第1パネル、上記第2パネルおよび上記第3パネルは上記下地スリーブの回りに巻回され且つ該スリーブに接着される。上記下地スリーブは頂端部および底端部を有すると共に、ゴルフクラブの握り部上に嵌装的に摺動可能である。上記第1パネルはフェルト内側層に結合されたポリウレタン外側層を含み、該第1パネルは、頂縁部と、底縁部と、該頂縁部および底縁部の間に延在する２つの側縁部とを有する。上記第2パネルはフェルト内側層に結合されたポリウレタン外側層を含み、該第2パネルは、頂縁部と、底縁部と、該頂縁部および底縁部の間に延在する２つの側縁部とを有する。上記第3パネルはフェルト内側層に結合されたポリウレタン外側層を含み、該第3パネルは、頂縁部と、底縁部と、該頂縁部および底縁部の間に延在する２つの側縁部とを有する。上記第1パネルの上記頂縁部は上記スリーブの上記頂端部の近傍に位置され、且つ、上記第2パネルの上記底縁部は上記スリーブの上記底端部の近傍に位置される。この実施例の上記第1パネルは、該第1パネルの上記内側面に対して鈍角(図８０Ａにおけるα')を形成すべく上記内側層から上記外側層へと延在する角取り部を有する角取背面底縁部を画成する。この実施例の上記第2パネルは、該第2パネルの上記外側面に対して鈍角(図８０Ａにおけるβ')を形成すべく上記外側層から上記内側層へと延在する角取り部を有する角取前面頂縁部を画成する。この実施例における上記第3パネルは、該第3パネルの上記外側面に対して鈍角(図８０Ａにおけるγ')を形成すべく上記外側層から上記内側層へと延在する角取り部を有する角取前面頂縁部と、該第3パネルの上記内側面に対して鈍角(図８０Ａにおけるδ')を形成すべく上記内側層から上記外側層へと延在する角取り部を有する角取背面底縁部とを画成する。上記第1パネルの上記底縁部は上記第3パネルの上記頂縁部に当接することから、上記第1パネルの上記底縁部および上記第3パネルの上記頂縁部は協働して実質的に水平な継目を形成する。上記第3パネルの上記底縁部は上記第2パネルの上記頂縁部の当接することから、上記第3パネルの上記底縁部および上記第2パネルの上記頂縁部は協働して、横方向の、好適には実質的に水平な継目を形成する。
【００１２】
上記内側層は好適には布地層であり、更に好適にはフェルト層である。上記外側層は好適にはポリマ層であり、更に好適にはポリウレタン層である。２枚パネル・グリップの場合、上記第1パネルの上記底縁部は上記第2パネルの上記頂縁部に当接する。これらの縁部は望ましくは相互に接着されて、概略的に水平な継目を画成する。マルチセグメント・マルチカラー式単一パネル・グリップを生成すべく、２枚以上のパネルが使用され得る。３枚以上のパネルを備えたグリップにおいては、最上部パネルおよび最下部パネルは望ましくは２枚パネル・グリップと同様に角取りされる。接続する方の各パネルは望ましくは、上記連続パネルの全体に亙り延在する概略的に水平な継目を画成する様に該各パネルの平行縁部が当接する如く、これらの縁部にて角取りされる。斯かるマルチセグメント式単一パネルの側縁部同士は望ましくは、相互に当接され且つ相互に接着されることで、完成グリップの全体に亙り延在する長手継目を画成する。斯かる継目を強化すべく、該継目の外端部にて上記ポリウレタン層の外側部分には加熱形成される凹状シール・チャネルが形成され得る。上記継目に沿い又は上記チャネル内には高温ポリウレタンが投入され得ると共に、斯かるポリウレタンは硬化した後で、上記グリップの表面に円滑に融合すべくすり落とされ得る。別の改変例においては、上記グリップの上記外側層に加圧成形された任意の摩擦強化パターンに整合すべく、載置された上記ポリウレタン上に摩擦強化パターンをエンボス加工すべく成形型が利用され得る。
【発明の効果】
【００１３】
本発明の各実施例は既存の螺旋状巻回グリップよりも相当に低いコストで製造され得る、と言うのも、特定の圧力パラメータ範囲内で下地スリーブの回りに細長片を螺旋巻回するという多大な労力が排除されるからである。付加的に、上記マルチセグメント式単一パネルグリップの各実施例は、製造の間に、又は、それが下地スリーブに接着された後のいずれにおいても捻れない。本発明の新規なグリップは望ましくは、プロゴルファおよびハンディキャップの少ないゴルファにアピールすべく一般的な成形ラバー・グリップと同様の外観を有すると共に、装飾デザインを適用するための大きな領域も提供する。更に、本発明の各実施例は単一パネル・グリップでは可能でなかった複数の色彩の組み合わせにも対処し得ることから、ゴルファ、および、愛好されるスポーツを行う間に校色の表示を望む大学の行事に対して魅力的である。本発明の各実施例は、設置が非常に容易である。
【００１４】
本発明の更なる目的、特徴および利点は、本発明の例示的実施例を示す添付図面に関する以下の詳細な説明から明らかとなろう。
【発明を実施するための最良の形態】
【００１５】
各図を通し、別様に述べられなければ同一の参照番号および符号は図示実施例の同様の特徴、要素、構成要素もしくは部分を表す。更に、本発明は各図に関して詳述されるが、それは図示実施例に関して行われる。記述される実施例に対しては、添付の各請求項により定義される本発明の有効範囲および精神から逸脱せずに変更および改変が為され得ることが企図される。
【００１６】
各図を参照すると、図８１において、本発明を具現するマルチセグメント式単一パネル・グリップGはゴルフクラブGCのシャフト55に取付けられて示される。図８２においてマルチセグメント式単一パネル・パターグリップPGは、パターPのシャフト57に取付けられて示される。次に残りの図面を参照するとグリップGの好適形態はポリウレタン60およびフェルト62の一体結合層から成る複数パネルから形成されるマルチセグメント式単一パネルSを有し、その場合に該パネルは一般的な構成の弾性的な下地スリーブUの回りに巻回して接着される。本出願を通し、頂部という語句はクラブヘッドとは逆となるクラブの大径端部に最も近い部分、すなわち、ゴルファがクラブをスィングもしくはストロークするとすればそのゴルファに最も近い端部を指すべく用いられる。同様に、底部という語句は、クラブの大径端部から最も遠いパネルもしくは縁部を定義すべく用いられる。
【００１７】
図１Ａは、外側層60aおよび内側層62a(図２Ａ)を備えた第1の二層パネルS1を示している。図１Ｂは、第1パネルS1に当接かつ結合されてマルチセグメント式単一パネルMP(図７)を形成する第2の二層パネルS2を示す。特に第1パネルS1は、処理の後で第2パネルS2の頂縁部82に当接される底縁部81を有する。任意の特定グリップを形成すべく使用される上記各パネルは、基本的に色彩およびサイズは異なるが概略的に同様に構成されることは理解される。
【００１８】
本開示における上記各パネルの外側層は概略的に、ポリウレタン層と称される。ポリウレタンは好適な材料であるが、他の材料が使用されて一定の利点を達成し得る。特に、他のポリマ化合物は上記外側層を生成して一定の利点を達成すべく使用され得る。同様に、上記内側層は本開示において概略的にフェルトと称される。フェルトが好適であるが、本発明のもう一つの実施例においては他の織地層(fabric layer)が用いられ得ることは理解される。好都合であることから、全体を通してポリウレタンおよびフェルトが使用される。別実施例において上記内側層は、ポリマ、更に好適にはエチレン・ビニル・アセテート(EVA)から成り得る。
【００１９】
図１、図２および図３を参照すると、フェルト層62a、62bはポリウレタン層60a、60bの内側面に結合された外側面を有し、斯かるポリウレタン層60a、60bは好適には(不図示の)細孔を画成すべく凝固されている。結合されたなら、第1パネルS1の外側層60aは外側面61aを有する一方、内側層62aは内側面63aを有する。当業者であれば理解され得る如く、外側層60aの外側面61aは第1パネルS1の外側面を画成し、且つ、内側層62aの内側面63aは第1パネルS1の内側面を画成する。同様に、第2パネルS2の外側層60bは外側面61bを有する一方、内側層62bは内側面63bを有する。故に、外側層60bの外側面61bは第2パネルS2の外側面を画成し、且つ、内側層62bの内側面63bは第2パネルS2の内側面を画成する(図８)。上記フェルト層は、羊毛、ポリエステル、ナイロンもしくはそれらの混合物で作製され得る。好適には、ナイロン・ポリエステル・フェルトが利用される。ポリウレタン層60a、60bは、ジメチルホルミアミド(DMF)に溶解されたポリウレタンの溶液(たとえば、ポリエステル、ポリエーテル)をフェルト細長片の一側に被覆し、被覆された細長片を水浴に浸漬してDMFを排除してウレタンを凝固させ、且つ、最終的に加圧および加熱により水分を飛ばすことにより、従来様式で形成され得る。上記ポリウレタン層の固形分は、斯かるポリウレタン層の所望硬度に従い変更される。好適な固形分の溶液は約28.5〜30.5％であり、25±0.5℃で測定された粘度範囲は約60,000〜90,000cpsである。適切なポリウレタン成分は、以下の業者から購入され得る。
【００２０】
Lidye Chemical Co., Ltd.
10F1 Lidye-Commercial Bldg.
22 Nanking W. Road, Taipei
Taiwan, R.O.C.
Lidye Chemical Co., Ltd.
No. 17, Ching Chien 6th Road
Guan in Industrial Area, Guan In Shiang
Taoyuan Hsien, Taiwan, R.O.C.
Lidye Resin (Panyu) Co., Ltd.
Xiadao Industrial Park
Liye Road, Dongchong Town
Panyu City, Guangdong Province, PRC
【００２１】
好適には、上記ポリウレタン層の厚みは約0.3〜0.5ミリメートルであり、上記フェルト層の厚みは約0.8〜1.7ミリメートルである。上記パネルのポリウレタン層はゴルフクラブ上のゴルファの手に対する緩衝把持表面を提供すると共に、プレーヤの手とグリップとの間における良好な吸い付き性(tackiness)を提供することでゴルファの把持力も強化する。各パネルにおいてフェルト層は、ポリウレタン層に対する強度を提供し、且つ、一体結合されたポリウレタンおよびフェルトのマルチセグメント式単一パネルを下地スリーブUに取付ける手段の役割を果たす。
【００２２】
マルチセグメント式単一パネルMPの基礎を形成する上記複数パネルは、好適に準備される。次に図４を参照すると第1パネルS1は、単一の回転カッタ79により内側層62aから外側層60aへと下方かつ外方に角取り（スカイビング）することで角取縁部81を生成する底縁部81を有して示される。第1パネルS1はフェルトもしくは内側層62aを上側にして載置され、角取り（スカイビング）操作の間において基部84上にパネルS1を固定すべく圧力プレート83が利用される。好適には、角取縁部81は約4.0〜6.0ミリメートルの幅を有する。図５において、第2パネルS2はフェルト側62bを下にして基部84に固定されて示される一方、回転カッタ50は該パネルの頂縁部82を外側層60bから内側層62bへと角取り（スカイビング）することで角取縁部82を形成する。
【００２３】
図６Ａは、第1パネルS1の角取縁部81に対するノズル、ブラシなどによる接着剤90の塗付方法を示している。同様に図６Ｂは、第2セグメントS2の角取頂縁部82に対するノズル、ブラシなどによる接着剤90の塗付方法を示している。
【００２４】
接着剤90の塗付後に角取縁部81、82は、一旦分離されたポリウレタン・フェルト・パネルS1、S2が図７に示された如く今や略水平な継目100を備える連続的なマルチセグメント式パネルMPを形成する如く、当接されて相互に押圧される。
【００２５】
図８は、図７における８−８線に沿う水平断面図である。第1パネルS1のフェルト層62aと第2パネルS2のフェルト層62bとの間のフェルト・フェルト結合を銘記されたい。このフェルト・フェルト結合はパネルMPに対して構造的一体性を加える。
【００２６】
第1パネルS1はその内側層62aを圧力プレート83に対して上側に向けて角取りされるが第2パネルS2は外側層60bを圧力プレート83に対して上側に向けて固定されることを銘記すると、好適な方法は、第1パネルS1の底縁部81をその内側層62aから外側層60aへと下方かつ外方に角取りする一方(図４)、第2パネルS2の頂縁部82を同様の様式で角取りすることである(図５)。望ましくは、第2パネルS2の外側面61bおよび角取頂縁部82は、鈍角の夾角、更に好適には110°より大きい鈍角の夾角、更に好適には約130〜160°の鈍角の夾角、最も好適には約135°の鈍角の夾角を形成する。第1パネルS1の内側面63aおよび第1パネルS1の角取底縁部81は望ましくは、第2パネルS2の外側面61bと第2パネルS2の角取頂縁部82とにより形成される角度と同様の鈍角の夾角を形成する。
【００２７】
本発明を実施する他の様式が在るが、この構造は幾つかの理由により好適である。ゴルファのひとつの一般的な傾向は、ボールを打つ準備をするときに親指を下方へ移動させることである。これにより、上記水平継目に対しては圧力が掛かり得る。本発明者の好適な構成によれば、上記各パネルが下地スリーブから分離するのを促進せずに、この下方移動が許容される。すなわち頂縁部82の薄寸の最上部分は、重なり合う第1パネルの底縁部81により、下方への“めくれ”から保護される。重要なこととして、第2パネルS2の頂縁部82のこの薄寸のフェルト最上部分は、第1パネルS1の底縁部81の構造的に強いフェルト部分に対して接着される。グリップGは、もし露出された上向きの薄寸縁部を該グリップが有したならば、尚早な破損(unraveling)の防止に対しては殆ど有効でない。継目100における斯かる縁部の唯一の上向き薄寸部分、すなわち第2パネルS2の頂縁部82の薄寸の最上部分は、グリップGの内側に安全に囲繞され且つ下地スリーブUに対して確実に取付けられる。当然ながらグリップGの外側は露出されるが、露出される継目100の部分は第1パネルS1の底縁部81の最下部分である。底縁部81のこの最下部分は下向きであることから、尚早な破損を促進せずに親指が該部分上を乗り越えるのを自然に許容する。また上記の２つのパネルが幾分か誤整列されて第2パネルS2上の頂縁部の上向き縁部の一部が露出されたとしても、その露出された部分はパネルの本体と略々同一の厚さなので構造的に強力である。重要なこととして、上記第2パネルの頂縁部と上記第1パネルの外側面とにより形成される大きな鈍角は、該第2パネルS2の頂縁部の薄寸の最上部分から離間すべく外方かつ下方にユーザの親指を案内する傾向がある。故にこの好適な形態によれば、誤整列の場合においてさえも破損は防止される。
【００２８】
更に、上記継目が滑らかであるときに上記握り部にて下方を見るゴルファは殆ど散漫にならないが、これは好適な角取りによる本発明者の水平継目による別の好適な結果である、と言うのも、上記上側パネルの外側層は上記下側パネル上を通るからである。いずれにせよ、第1パネルS1のポリウレタン側60aおよび第2パネルS2のポリウレタン側60bが、連続的なマルチセグメント式パネルMPの同一側とされて連続的ポリウレタン外側層110(図７)を形成する如く、上記角取りが実施される。各パネルが夫々の角取縁部を有したなら、各セグメントは結合の準備ができる。
【００２９】
各パネルが接合されたなら、パネルMPは従来様式で加圧切断されて図９Ａに見られる形状化パネルSを形成する。同一の加圧切断により、頂縁部および底縁部の中央にてパネルSにはノッチN1、N2も形成される。ノッチN1、N2は、上記パネルを下地スリーブU上に中心合わせするのを助力するマークの役割を果たす。上記パネルを中心合わせする他の方法も在るが、これらのノッチが好適である、と言うのも、それらはコストを低減すると共に完成されたグリップGの輪郭に影響しないからである。一例として、中央軸心を表すべく下地部材Gに沿い垂直に延在する隆起ラインまたは刻みラインを配備することが可能である。その場合にこのラインはパネル・グリップ上の刻みラインに対応することから、上記パネルを上記グリップに中心合わせする手段が提供される。但し、上記パネルおよび下地部材の両方におけるラインは夫々の断片に対する付加もしくは除去段階を包含することから、各ラインがグリップ表面の輪郭に影響する可能性がある。一方、上記ノッチは(以下で論じられる)キャップおよびニプルの下側に存在することから、上記グリップの輪郭に影響しない。
【００３０】
図９Ｂは、形状化パネルSの縁部を示している。継目100、および、パネルSの丈に沿い延在する二重の連続層110、112を銘記されたい。
【００３１】
次に図１０乃至図１７を参照すると、ポリウレタン層110上に摩擦強化パターン66(図１４)を形成すべく利用される第1成形型Mが示される。成形型Mは、基部プレートBと、キャビティ68が形成された加熱プラテン67とを含む。プラテン67は、図１３に示された如く凹状形成された摩擦強化パターン66を形成すべくポリウレタン層110の外側面に係合する垂下突出部69を備える。加熱プラテン67は、図１１Ｂ、図１２Ａおよび図１２Ｂに示された如くポリウレタン層110上にて縁部134、136上に夫々凹状形成された側縁部70、71と、頂縁部および底縁部130、132上に(不図示の)凹状形成された頂縁部および底縁部を形成する垂下突出部69aを含み得る。選択的に図１１Ａおよび図１４により例証される如く好適実施例は、成形型Mを使用するとポリウレタン層110上の摩擦強化パターン63のみに帰着する如く、その様に側方に配向された突出部69aを含まない。
【００３２】
もう一つの実施例においては、ポリウレタン層110上に他のパターンが形成され得る。図１５に見られる如く、もう一つの設計態様によれば外側層110の大部分は滑らかなままとされる一方、パネルSの底端部の近傍にはロゴ116などの視覚的目印が載置される。図１６においては、摩擦強化パターンの更に別の実施例が示される。第2パターン118は、パネルの丈の大部分に延在する視覚的目印であって図１３に示された摩擦強化パターン66に類似するトレッド・パターンにより囲繞される視覚的目印を取入れている。図１６はまた、グリップ・パネルS上に装飾的な設計態様もしくはロゴを帰属させるもう一つの手段も示している。ロゴ114などのスタンプ成形された視覚的目印は、当業者に公知の適切なインクを用いポリウレタン層110上にインク・スタンプ成形される。好適には上記インクは耐水性かつ耐熱性であり、更に好適には、ゴルフクラブGCのシャフト55(図８１)またはパターPのシャフト57(図８２)の端部上に、完成したグリップG(下地部材UおよびパネルS)を装着すべく使用される潤滑流体もしくは溶剤と接触したときの劣化に抗すべく調製される。これらは代表的なものであり、このマルチセグメント式単一パネル・グリップと共に他の多くのパターンおよび刻印が使用され得ることは理解される。
【００３３】
図１７は、図１４における１７−１７線に沿う断面図である。この図は、連続的ポリウレタン層110上に形成された摩擦強化パターン66を示している。
【００３４】
次に図１８乃至図２１を参照すると、パネルSの周縁部は、パネルSの頂縁部および底縁部130、132に係合する一対の回転カッタ120、122と、側縁部134、136に係合する単一の回転カッタ124(図１９)とにより角取りされるものとして示される。カッタ120および122は夫々、角取りされた頂縁部および底縁部130、132を形成する。カッタ124は、図１９におけるパネルSの一側上の角取縁部134、および、該第1側部が角取りされた後で図２０における角取縁部136を形成するものとして示される。圧力プレート83は、角取り操作の間において上記各パネルを基部84上に固定すべく利用される。パネルSの各側部における角取りは図２０に見られる如く相互に平行であることを銘記されたい。好適には、上記角取り部は約4.0〜6.0ミリメートルの幅を有する。
【００３５】
図２１は、回転カッタ120、122、124が縁部130、132、134、136を角取りした後におけるパネルSの背面図である。
【００３６】
次に図２２乃至図２５を参照すると、天然ゴムもしくは合成ゴムもしくはプラスチックなどの弾性材料から形成された下地スリーブUが示される。スリーブUはその頂端部にて一体的キャップ85を含む一方、該スリーブの底端部には一体的ニプル86が形成される。上記キャップの下側面には、下方延在スロット87が形成される。好適には、スロット87は下地部材Uの回りを円周方向に取り巻く。スロット87は、以下において記述される如くパネルSの角取頂縁部130を受容する。同様に、下地部材Uの一体的ニプル86には、上方延在スロット88が形成される。該スロット88は好適には、下地部材Uの回りを円周方向に取り巻く。好適には下地スリーブUには、完成したグリップ・パネルSを下地スリーブUに装着して完成グリップGを形成するための中央点を表す中心合わせノッチN3、N4が形成される。
【００３７】
次に図２６乃至図３５を参照すると、パネルSは下地スリーブUに装着されつつあるものとして示される。図２６において下地スリーブUの外側表面は、ノズル、ブラシなどにより接着剤90を受容しつつあるものとして示される。図２７において連続的フェルト層112の内側面は、ノズル、ブラシなどにより接着剤90を受容しつつあるものとして示される。
【００３８】
図２８は、下地スリーブUの回りに巻回され且つ該スリーブに接着されつつあるパネルSを示している。この操作の間においてパネルSのノッチN1、N2は、下地スリーブUのノッチN3、N4との整列下で配設される。同様に、パネルSの頂縁部130は下地キャップ85のスロット87内に手作業で挿入される一方、パネルSの底縁部132は、周縁唇部89を外方に一時的に撓曲することでニプル86内に形成されたスロット88内に手作業で挿入される。
【００３９】
図３３、図３４および図３５に示された如くパネルSの角取側縁部134、136は、該パネルの全体に亙り延在する垂直継目91を画成するために適切な接着剤90により相互に接着される。角取側縁部134、136の故に継目91は、パネルSの奥行き方向と平行に延在する継目と比較して該継目91の幅を増大すべく、パネルSの奥行き方向に対して所定角度にて該パネルSの全体に亙り延在する。上記継目の幅が増大すると、結合は更に強力とされる。上記継目は、その内側層を相互に接合し、すなわち図３５に示された如きフェルト／フェルト結合とされたときに特に強力である。
【００４０】
適切な接着剤90は、ポリクロロプレン(C4H5Cl)およびトルエン(CH5CH3)の化学式を有する。パネルSは下地スリーブUの回りに巻回されて該スリーブに接着されることから、該スリーブは従来様式にて折畳み可能マンドレル92上に一時的に支持される。
【００４１】
一実施例において継目91はそのままとされ、完成グリップG-1は図３０のグリップと同様である。図３６は、３６−３６線(図３０)に沿うマルチセグメント式単一パネルSおよび下地部材Uの断面図であり、グリップG-1の丈に対する水平継目100を示している。当業者であれば、本発明の種々の利点は他の形式の継目により達成され得ることを理解し得よう。但し、スリーブUの長手軸心Yに対して横手方向となるが故にグリップG-1の長手軸心に対して横手方向となる継目が好適である。本明細書中で使用される如く、横手方向継目(transverse seam)は広範囲な語句であり、対角線方向の継目、ジグザグ継目および波状継目を包含する。更に、上記継目は垂直よりも水平に近い方が好適である。この見地は、上述された如く構成された全てのグリップGに対して実質的に同一である。更なる枚数のパネルを使用すると、対応して更に多数の水平継目に帰着する。
【００４２】
図３６Ａは、図３６において３６Ａと示された円形部分の拡大図である。それは水平継目100を示している。それは更に、第1パネルS1の内側面63aに対して鈍角αを形成すべく該第1パネルS1の角取底縁部が如何にして内側層62aから外側層60aへと角取りされるかを示している。それはまた、第2パネルS2の外側面61bに対して鈍角βを形成すべく該第2パネルS2の角取頂縁部が如何にして外側層60bから内側層62bへと角取りされるかを示している。特に、パネルS1がパネルS2に接合されたときに(図３６Ａにおける断面図で見たときに)それらが実質的に平坦な単一パネルSを形成する如く、鈍角αおよび鈍角βは等しいことが好適である。
【００４３】
図４２および図４３は夫々、図４１における４２−４２線および４３−４３線に沿う拡大断面図である。それらは、パネルSが下地部材Uに対して接着された後における該パネルSの頂縁部および底縁部130、132の最終的載置を例証している。パネルSの頂縁部130はキャップ・スロット87内に堅固に配設される。同様に、底縁部132はニプル・スロット88内に堅固に配設される。上記完成グリップは次にマンドレル92から取り外され、従来様式にてゴルフクラブGCのシャフト上に摺動嵌装されて該シャフトに接着される準備ができる。
【００４４】
次に図３７乃至図３９を参照すると、パネルSの側縁部134、136が相互に接着された後における実施例が示される。図３７はマンドレル92により基部93上に支持された下地スリーブUを示す一方、長手方向に延在する加熱加圧用歯部94は継目91の外側縁部にてポリウレタン層110に対して付勢される。斯かる加熱用歯部は、ポリウレタン層110における小寸凹所95であって継目91を更に強化すべく該継目の外側縁部と整列された小寸凹所95を形成する。図４１には、歯部94の使用後における完成グリップの実施例G-2が示される。
【００４５】
図４４乃至図４７は、チャネル95がノズル、ブラシなど(図４４)により高温ポリウレタン96で充填されること以外は全ての見地においてグリップG-2と同様であるというゴルフクラブ・グリップの別実施例G-3を示している。ポリウレタンが硬化した後、チャネルは適切なブラシ97などにより、すり落とされて図４５に示された如く上記グリップの表面へと円滑に融合される。選択的に、高温ポリウレタンにより充填された後でチャネル95はすり落とされない。
【００４６】
次に図４８乃至図５１を参照すると、グリップの別実施例G-4が示される。グリップG-4は、チャネル95を使用しない。寧ろ、継目91は図４７に示された如くノズル、ブラシなどにより少量の高温ポリウレタン96により被覆される。ポリウレタンが硬化した後、それは適切なブラシ97などによりすり落とされ、図５１に示された如く上記グリップの表面へと円滑に融合される。選択的に、上記ポリウレタンはすり落とされたり融合されたりしない。
【００４７】
次に図５２乃至図６２を参照すると、図２８乃至図５１の各グリップの改変例が示される。図５２乃至図５４において、高温ポリウレタン96はノズル、ブラシなどにより継目91上に被覆されつつあるものとして示される。図５５乃至図５７において高温ポリウレタン96は、ノズル、ブラシなどによりチャネル95を充填しつつあるものとして示される。図５８は加熱プラテン140を有する成形型M-2を示しており、該プラテンの下側面には、グリップのポリウレタン層110の表面にエンボス加工される摩擦強化パターン66のセグメント66aが形成される。斯かる加熱プラテン140は、ポリウレタンが依然として高温である間に、継目91の領域の全体に亙りポリウレタン層の外側面に対して押圧される。この配置構成により、上記継目の外方となるポリウレタン層110の外側の領域には図５９の摩擦強化セグメントが形成されることから、斯かるセグメントは、上記グリップの外側面の本体上に成形された摩擦強化パターン66と融合する。図６２は、融合された摩擦強化パターン66がゴルフクラブ・シャフト55上に載置されて該シャフトに接着されたグリップG-5を示している。選択的に、好適実施例において、加熱プラテン140は剥き出しの継目91に対して付勢されることで、それを最初に高温ポリウレタン96により被覆せずに摩擦強化パターンを形成し得る。パターン66を継目91に対して直接的に加圧成形すると、製造プロセスにおけるひとつの段階が排除されることから、製造のコストが減少される。
【００４８】
次に図６３乃至図７１を参照すると、一般的なパターと共に使用されるマルチセグメント式単一パネル・パター・グリップPGが示される。グリップPGは、下地スリーブUPが環状形態でないこと以外は上記の下地部材Uと略々同様である弾性的な下地スリーブUP(図６３乃至図６７)を含む。代わりに下地スリーブUPの前面98は、一般的な用途における殆どのパターの設計態様に従い、平坦形態である。上述のマルチセグメント式単一パネルSと同様に、下地スリーブUPはポリウレタン・フェルト形態のマルチセグメント式単一パネルSPを受容することを理解すべきである。パター用パネルSPの側縁部は概略的に直線状であることから、下地スリーブUPの回りに巻回されて該スリーブに接着される前に、該パネルSPは幾分か台形の外観となる。
【００４９】
斯かる単一パネルSPは、マルチセグメント式単一パネルグリップG-1〜G-4に関して上述されたのと同一様式で下地スリーブの回りに巻回されて該スリーブに接着されるが、２つのグリップの同様の部材は同様の参照番号で表される。同様に、もしチャネル95'を生成すべく歯部94'が使用されるなら、該チャネルはそのままとされるか高温ポリウレタン96'により充填されてからそのままとされ、または、ブラシ97'などですり落とされ得る(本明細書中に開示された各グリップに対する可能的改変の例に関しては、図３７乃至図６２を参照されたい)。好適実施例においてパネルSPは、図６８に示された如く底端部におけるロゴ114'などの視覚的目印を除いて円滑である。他のクラブに伴う概略的に長いスィングと比較してパッティングのスィングは短いが故にパターは概略的に小さな力に委ねられることから、パター・グリップPGは概略的に摩擦強化パターン66を必要としない。但し、斯かるパターンは上述の如くパター用パネルSPに型成形され得ることが企図される。
【００５０】
マルチセグメント式単一パネルグリップを形成すべく任意枚数のパネルが一体結合され得ることを銘記すべきである。好適には、枚数は２〜１０枚であり、更に好適には２〜５枚であり、最も好適には２乃至３枚である。次に図７２乃至図７９を参照すると、３枚のポリウレタン・フェルト製パネルS1'、S2'およびS3'を用いる別の好適実施例が示される。グリップの同様の部材は、ダッシュ記号により区別され乍ら、上記で使用されたのと同様の参照番号により表される。
【００５１】
図７２Ａ、図７２Ｂおよび図７２Ｃは夫々、頂部パネルS1'、底部パネルS2'および中央パネルS3'の前面図を示している。一実施例において頂部および底部パネルS1'、S2'は概略的に等しいサイズであるが、中央パネルS3'は更に短寸である。それらの異なる長さにも関わらずにパネルS1'、S2'、S3'の各々は実質的に同一の幅を有することから、それらは一体結合されたときに、下地スリーブU'の円周部に実質的に対応する幅を有する形状化パネルS'を形成すべく加圧切断組立てを受け入れるほど十分に大寸な側縁部を備えた単一の連続的パネルを形成する。
【００５２】
図７３Ａ乃至図７４Ｃは、夫々、図７２Ａ乃至図７２Ｃにおける各パネルの図示ラインに沿う垂直断面図および水平断面図を示している。この３枚パネルの実施例および異なる枚数のパネルの他の全ての実施例における各パネルは、図１乃至図３に関して上述された如く生成される。
【００５３】
２枚パネルのマルチセグメント式単一パネルMPと同様に、３枚パネルのマルチセグメント式単一パネルMP'は一定の準備を必要とする。頂部および底部パネルS1'、S2'はパネルS1、S2と同様に角取りされ、角取縁部81'、82'(図７７Ａおよび図７７Ｂ)に帰着する。パネルS1'、S2'を角取りすべく使用される方法に関しては図４および図５を参照されたい。図７５および図７６は、中央パネルS3'に対する角取りプロセスを示している。カッタ150は、中央パネルS3'の頂縁部160を外側層60c'から内側層62c'に向けて下方かつ外方に角取りし(図７５)、且つ、頂縁部160が角取りされた後で底縁部162を内側層62c'から外側層60c'へと角取りする(図７６)ものとして示される。角取り操作の間においてパネルを基部84'に固定すべく、圧力プレート83'が利用される。図７６に示された如く、パネルS3'の各端部における角取り部は相互に平行であることを銘記されたい。好適には、上記角取り部は此処でも約4.0〜6.0ミリメートルの幅を有する。
【００５４】
図７７Ａ乃至図７７Ｂは、ノズル、ブラシなどにより縁部81'、82'、160、162に塗付されつつある接着剤90を示す前面図である。
【００５５】
接着剤90の塗付の後、別体であったポリウレタン・フェルト製パネルS1'、S2'、S3'が今や図７８に示された如く実質的に水平な２本の継目100a'、100b'を備えた連続的なマルチセグメント式パネルMP'を形成する如く、縁部81'、162、160、82'は相互に押圧される。
【００５６】
図７９は、図７８における７９−７９線に沿う水平断面図である。頂部パネルS1'と中央パネルS3'との間、および、中央パネルS3'と底部パネルS2'との間におけるフェルト・フェルト結合を銘記されたい。これらのフェルト・フェルト結合区画は、連続パネルMP'に対して構造的一体性を与える。パネルS1'、S2'、S3'は、それらのポリウレタン層60a'、60b'、60c'が連続的ポリウレタン側110'を形成し且つそれらのフェルト層62a'、62b'、62c'が連続的フェルト側112'を形成する如く、一体結合される。
【００５７】
図８０は、当該グリップG'の丈に対して実質的に水平な２本の水平継目100a'、100b'を示す、３枚パネルによる完成済みマルチセグメント式グリップG'を示している。
【００５８】
図８０Ａは、図８０において８０Ａと示された円形部分の拡大図である。それは、実質的に水平な継目100a'、100b'を示している。それは特に、第3パネルS3'の角取前側頂縁部に当接する第1パネルS1'の角取背面底縁部により水平継目100a'が如何に構成されるかを示している。第1パネルS1'の内側面63a'に対して鈍角α'を形成すべく、第1パネルS1'の角取底縁部は内側層62a'から外側層60a'にかけて角取りされる。また、第3パネルS3'の外側面61c'に対して鈍角γ'を形成すべく、第3パネルS3'の角取頂縁部は外側層60c'から内側層62c'へと角取りされる。継目100b'は同様の様式で示される。更に、第3パネルS3'の内側面63c'に対して鈍角δ'を形成すべく、第3パネルS3'の角取底縁部は内側層62c'から外側層60c'へと角取りされる。他方、第2パネルS2'の外側面61b'に対して鈍角β'を形成すべく、第2パネルS2'の角取頂縁部は外側層60b'から内側層62b'へと角取りされる。特に、パネルS3'に対してパネルS1'が接合されたときに、(図８０Ａの断面図に見られる)実質的に平坦な単一パネルS'の一部をこれらのパネルが形成する如く、鈍角α'および鈍角γ'は等しいことが好適である。同様に、パネルS3'がパネルS2'に接合されたときに、(同様に図８０Ａの断面図に見られる)実質的に平坦な単一パネルS'の一部をこれらのパネルが形成する如く、鈍角δ'および鈍角β'は等しいことが好適である。
【００５９】
次に図８１を参照すると、本明細書中に包含される開示内容に従い作成されたグリップGが嵌装して固定された握り部55を有するゴルフクラブGCが示される。図８２は、パターPの握り部57に嵌装して装着されたパター・グリップPGを示している。
【００６０】
本発明を具現するグリップの外側面には、ブラシ、ノズル、噴射などにより(不図示の)ポリウレタンの薄寸層が被覆されることで、斯かる表面を保護し、吸い付き性を付加し、且つ、耐久性を高め得ることを理解すべきである。
【００６１】
本発明のゴルフクラブ・グリップは、本明細書中で先に記述された既存の巻回式の単一パネル・グリップとの比較において利点を提供する。さらに、斯かるグリップは、プロゴルファおよびハンディキャップの少ないゴルファに馴染みのある成形式の一体片グリップの外観を有する。斯かるゴルファの一部は、一般的な巻回式ではないクラブの使用を好まないが、本発明の構造的に一体的なマルチセグメント・グリップにより快くプレイを行う、と言うのも、斯かるグリップは巻回式グリップの緩衝品質および吸い付き性品質を与えるからである。更に、多くの個人ゴルファおよび高校、大学およびプロ・チームは、快適さ、耐久性もしくは吸い付き性を犠牲にせずにゴルフ・グリップ上にチームカラーを載置することで達成され得るという連帯の印を好む。本発明によれば、ゴルフクラブのグリップおよびパターのグリップに対して複数の色彩が適用され得ることから、チームおよび個人はその精神および熱意を、これまでは可能でなかった様式で表現し得る。
【００６２】
上記単一パネル・グリップおよびその用途の更なる詳細は、2003年3月18日に本出願人により出願されると共にその全ての開示内容は言及したことにより本明細書中に援用される米国特許出願第10/392480号に記述されている。
【００６３】
上記内容は発明の原理の例示にすぎず、当業者であれば発明の有効範囲および精神から逸脱せずに種々の改変、変更および組み合わせが為され得ることは理解される。
【図面の簡単な説明】
【００６４】
【図１Ａ】マルチセグメント式ゴルフクラブ・グリップのポリウレタン・フェルト製の第1パネル部材の前面図である。
【図１Ｂ】マルチセグメント式ゴルフクラブ・グリップのポリウレタン・フェルト製の第2パネル部材の前面図である。
【図２Ａ】図１Ａの２Ａ−２Ａ線に沿う垂直断面図である。
【図２Ｂ】図１Ｂの２Ｂ−２Ｂ線に沿う垂直断面図である。
【図３Ａ】図１Ａの３Ａ−３Ａ線に沿う水平断面図である。
【図３Ｂ】図１Ｂの３Ｂ−３Ｂ線に沿う水平断面図である。
【図４】角取りされつつある図１Ａの第1パネル部材S1の底縁部を示す図である。
【図５】角取りされつつある図１Ｂの第2パネル部材S2の頂縁部を示す図である。
【図６Ａ】第1パネル部材S1の角取底縁部に塗付されつつある接着剤を示す背面図である。
【図６Ｂ】第2パネル部材S2の角取頂縁部に塗付されつつある接着剤を示す図である。
【図７】機能形状へと加圧切断される前におけるゴルフクラブ・グリップのマルチセグメント式ポリウレタン・フェルト製パネル部材の前面図である。
【図８】図７の８−８線に沿う水平継目100の垂直断面図である。
【図９Ａ】その最終的機能形状へと加圧切断された後のマルチセグメント式ポリウレタン・フェルト製パネル部材の前面図である。
【図９Ｂ】その最終的機能形状へと加圧切断された後のゴルフクラブ・グリップのマルチセグメント式ポリウレタン・フェルト製パネル部材の側面図である。
【図１０】マルチセグメント式単一パネルグリップを形成する上で利用され得る第1成形型の水平断面図である。
【図１１Ａ】図１０の１１Ａ−１１Ａ線に沿った垂直断面図である。
【図１１Ｂ】マルチセグメント式単一パネルグリップを形成する上で利用され得るもう一つの成形型の垂直断面図であり、図１０の１１Ａ−１１Ａ線に沿った図に対応している。
【図１２Ａ】図１１Ｂ中で１２Ａと示された円形領域の拡大図である。
【図１２Ｂ】図１１Ｂ中で１２Ｂと示された円形領域の拡大図である。
【図１３】図１０において１３と示された円形領域の拡大図である。
【図１４】図１０の成形型から取り外された後における図９のマルチセグメント式単一パネルの前面図である。
【図１５】図１０の成形型の別形態から取り外された後における図９のマルチセグメント式単一パネルの前面図である。
【図１６】図１０の成形型の更なる別形態から取り外された後における図９のマルチセグメント式単一パネルの前面図である。
【図１７】図１４の１７−１７線に沿う垂直断面図である。
【図１８】角取りされつつある上記マルチセグメント式単一パネルの頂縁部および底縁部を示す図である。
【図１９】角取りされつつある上記マルチセグメント式単一パネルの第1側縁部を示す図である。
【図２０】角取りされつつある上記マルチセグメント式単一パネルの第2側縁部を示す図である。
【図２１】図１８、図１９および図２０に示された様式で頂縁部、底縁部および側縁部が角取りされた後における上記マルチセグメント式単一パネルの内側表面を示す図である。
【図２２】本発明のマルチセグメント式単一パネルグリップの下地スリーブ部材の前面図である。
【図２３】図２２の２３−２３線に沿う垂直断面図である。
【図２４】図２３において２４と示された円形領域の拡大図である。
【図２５】図２３において２５と示された円形領域の拡大図である。
【図２６】上記下地スリーブの外側部に塗付されつつある接着剤を示す前面図である。
【図２７】上記マルチセグメント式単一パネルの内側表面に塗付されつつある接着剤を示す前面図である。
【図２８】上記マルチセグメント式単一パネルを下地スリーブに巻回して該スリーブに接着する第1段階を示す前面図である。
【図２９】下地スリーブの回りに上記マルチセグメント式単一パネルを巻回して接着する第2段階を示す前面図である。
【図３０】下地スリーブに接着された上記マルチセグメント式単一パネルを示す前面図である。
【図３１】図２８の水平断面図である。
【図３２】図２９の水平断面図である。
【図３３】図３０の３３−３３線に沿う水平断面図である。
【図３４】図３２において３４と示された円形領域の拡大図である。
【図３５】図３３において３４と示された円形領域の拡大図である。
【図３６】図３０の３６−３６線に沿う垂直断面図である。
【図３６Ａ】図３６において３６Ａと示された円形領域の拡大図である。
【図３７】図３５に示された継目の頂部に沿い形成されつつある加熱押圧シール・チャネルを示す側面図である。
【図３８】図３７における３８−３８線に沿う垂直断面図である。
【図３９】上記シール・チャネルが形成された後における図３８の各部を示す図である。
【図４０】図３９において４０と示された円形領域の拡大図である。
【図４１】本発明の実施例に係る完成済みマルチセグメント式単一パネルグリップの前面図である。
【図４２】図４１の４２−４２線に沿う垂直断面図である。
【図４３】図４１の４３−４３線に沿う垂直断面図である。
【図４４】図３９のグリップの改変例を作成する第1段階を示す破断前面図である。
【図４５】図３９のグリップの改変例を作成する第2段階を示す破断前面図である。
【図４６】図４５の４６−４６線に沿う水平断面図である。
【図４７】図４６において４７と示された円形領域の拡大図である。
【図４８】改変の準備ができた図４０のマルチセグメント式単一パネルグリップの前面図である。
【図４９】図４８に示されたグリップの改変における第1段階を示す破断前面図である。
【図５０】図４８に示されたグリップの改変における第2段階を示す破断前面図である。
【図５１】図４８乃至図５０に従い作成されたグリップの前面図である。
【図５２】図４８に示されたグリップの別の改変例を示す破断前面図である。
【図５３】図５２の５３−５３線に沿う水平断面図である。
【図５４】図５３において５４と示された円形領域の拡大図である。
【図５５】図４８に示されたグリップの別の改変例を示す破断前面図である。
【図５６】図５５の５６−５６線に沿う水平断面図である。
【図５７】図５６において５７と示された円形領域の拡大図である。
【図５８】図５２および図５５のグリップを改変する上で利用される金型の側面図である。
【図５９】図５８の５９−５９線に沿う水平断面図である。
【図６０】図５８の６０−６０線に沿う垂直断面図である。
【図６１】図５８において６１と示された円形領域の拡大図である。
【図６２】図５８乃至図６１に従い作成されたグリップの前面図である。
【図６３】本発明の実施例に従うパター・グリップの下地スリーブの斜視図である。
【図６４】図６３の下地スリーブの背面図である。
【図６５】図６３の６５−６５線に沿う水平断面図である。
【図６６】図６４の６６−６６線に沿う垂直断面図である。
【図６７】図６４の６７−６７線に沿う垂直断面図である。
【図６８Ａ】本発明の実施例に係るゴルフクラブ用パター・グリップのマルチセグメント式ポリウレタン・フェルト製パネル部材の前面図である。
【図６８Ｂ】本発明の実施例に係るゴルフクラブ用パター・グリップのマルチセグメント式ポリウレタン・フェルト製パネル部材の側面図である。
【図６９】本発明の実施例に係る完成済みマルチセグメント式単一パネル・パター・グリップの前方斜視図である。
【図７０】図６９のパター・グリップの背面図である。
【図７１】図６９の７１−７１線に沿う水平断面図である。
【図７２Ａ】マルチセグメント式ゴルフクラブ・グリップの頂部ポリウレタン・フェルト製パネル部材S1'の前面図である。
【図７２Ｂ】マルチセグメント式ゴルフクラブ・グリップの底部ポリウレタン・フェルト製パネル部材S2'の前面図である。
【図７２Ｃ】マルチセグメント式ゴルフクラブ・グリップの中央ポリウレタン・フェルト製パネル部材S3'の前面図である。
【図７３Ａ】図７２Ａの７３Ａ−７３Ａ線に沿う垂直断面図である。
【図７３Ｂ】図７２Ｂの７３Ｂ−７３Ｂ線に沿う垂直断面図である。
【図７３Ｃ】図７２Ｃの７３Ｃ−７３Ｃ線に沿う垂直断面図である。
【図７４Ａ】図７２Ａの７４Ａ−７４Ａ線に沿う水平断面図である。
【図７４Ｂ】図７２Ｂの７４Ｂ−７４Ｂ線に沿う水平断面図である。
【図７４Ｃ】図７２Ｃの７４Ｃ−７４Ｃ線に沿う水平断面図である。
【図７５】角取りされつつある図７２Ｂの中央セグメントS3'の頂縁部を示す図である。
【図７６】角取りされつつある図７２Ｂの中央セグメントS3'の底縁部を示す図である。
【図７７Ａ】上記パネル部材の角取縁部に塗付されつつある接着剤を示す前面図である。
【図７７Ｂ】上記パネル部材の角取縁部に塗付されつつある接着剤を示す前面図である。
【図７７Ｃ】上記パネル部材の角取縁部に塗付されつつある接着剤を示す前面図である。
【図７８】機能形状へと加圧切断されるに先立つゴルフクラブ・グリップのマルチセグメント式ポリウレタン・フェルト製パネル部材の前面図である。
【図７９】図７８の７９−７９線に沿う垂直断面図である。
【図８０】完成されたグリップの垂直断面図である。
【図８０Ａ】図８０において８０Ａと示された円形領域の拡大図である。
【図８１】本発明の実施例に係るマルチセグメント式単一パネルグリップを備えたゴルフクラブの斜視図である。
【図８２】本発明の実施例に係るマルチセグメント式単一パネルグリップを備えたパターを示す斜視図である。
【符号の説明】
【００６５】
Ｓ１    第１パネル
Ｓ２    第２パネル
Ｕ    下地スリーブ
６０ａ，６０ｂ    内側層
６２ａ，６２ｂ    外側層
８１    底縁部
８２    頂縁部
【図１Ａ】
2005177464.tif 000003
【図１Ｂ】
2005177464.tif 000004
【図２Ａ】
2005177464.tif 000005
【図２Ｂ】
2005177464.tif 000006
【図３Ａ】
2005177464.tif 000007
【図３Ｂ】
2005177464.tif 000008
【図４】
2005177464.tif 000009
【図５】
2005177464.tif 000010
【図６Ａ】
2005177464.tif 000011
【図６Ｂ】
2005177464.tif 000012
【図７】
2005177464.tif 000013
【図８】
2005177464.tif 000014
【図９Ａ】
2005177464.tif 000015
【図９Ｂ】
2005177464.tif 000016
【図１０】
2005177464.tif 000017
【図１１Ａ】
2005177464.tif 000018
【図１１Ｂ】
2005177464.tif 000019
【図１２Ａ】
2005177464.tif 000020
【図１２Ｂ】
2005177464.tif 000021
【図１３】
2005177464.tif 000022
【図１４】
2005177464.tif 000023
【図１５】
2005177464.tif 000024
【図１６】
2005177464.tif 000025
【図１７】
2005177464.tif 000026
【図１８】
2005177464.tif 000027
【図１９】
2005177464.tif 000028
【図２０】
2005177464.tif 000029
【図２１】
2005177464.tif 000030
【図２２】
2005177464.tif 000031
【図２３】
2005177464.tif 000032
【図２４】
2005177464.tif 000033
【図２５】
2005177464.tif 000034
【図２６】
2005177464.tif 000035
【図２７】
2005177464.tif 000036
【図２８】
2005177464.tif 000037
【図２９】
2005177464.tif 000038
【図３０】
2005177464.tif 000039
【図３１】
2005177464.tif 000040
【図３２】
2005177464.tif 000041
【図３３】
2005177464.tif 000042
【図３４】
2005177464.tif 000043
【図３５】
2005177464.tif 000044
【図３６】
2005177464.tif 000045
【図３６Ａ】
2005177464.tif 000046
【図３７】
2005177464.tif 000047
【図３８】
2005177464.tif 000048
【図３９】
2005177464.tif 000049
【図４０】
2005177464.tif 000050
【図４１】
2005177464.tif 000051
【図４２】
2005177464.tif 000052
【図４３】
2005177464.tif 000053
【図４４】
2005177464.tif 000054
【図４５】
2005177464.tif 000055
【図４６】
2005177464.tif 000056
【図４７】
2005177464.tif 000057
【図４８】
2005177464.tif 000058
【図４９】
2005177464.tif 000059
【図５０】
2005177464.tif 000060
【図５１】
2005177464.tif 000061
【図５２】
2005177464.tif 000062
【図５３】
2005177464.tif 000063
【図５４】
2005177464.tif 000064
【図５５】
2005177464.tif 000065
【図５６】
2005177464.tif 000066
【図５７】
2005177464.tif 000067
【図５８】
2005177464.tif 000068
【図５９】
2005177464.tif 000069
【図６０】
2005177464.tif 000070
【図６１】
2005177464.tif 000071
【図６２】
2005177464.tif 000072
【図６３】
2005177464.tif 000073
【図６４】
2005177464.tif 000074
【図６５】
2005177464.tif 000075
【図６６】
2005177464.tif 000076
【図６７】
2005177464.tif 000077
【図６８Ａ】
2005177464.tif 000078
【図６８Ｂ】
2005177464.tif 000079
【図６９】
2005177464.tif 000080
【図７０】
2005177464.tif 000081
【図７１】
2005177464.tif 000082
【図７２Ａ】
2005177464.tif 000083
【図７２Ｂ】
2005177464.tif 000084
【図７２Ｃ】
2005177464.tif 000085
【図７３Ａ】
2005177464.tif 000086
【図７３Ｂ】
2005177464.tif 000087
【図７３Ｃ】
2005177464.tif 000088
【図７４Ａ】
2005177464.tif 000089
【図７４Ｂ】
2005177464.tif 000090
【図７４Ｃ】
2005177464.tif 000091
【図７５】
2005177464.tif 000092
【図７６】
2005177464.tif 000093
【図７７Ａ】
2005177464.tif 000094
【図７７Ｂ】
2005177464.tif 000095
【図７７Ｃ】
2005177464.tif 000096
【図７８】
2005177464.tif 000097
【図７９】
2005177464.tif 000098
【図８０】
2005177464.tif 000099
【図８０Ａ】
2005177464.tif 000100
【図８１】
2005177464.tif 000101
【図８２】
2005177464.tif 000102